(57)【要約】【課題】ユーザの意思を汲み取ってより多くのインターネットサイトのアクセスの許可／禁止をその内容に即して決定することが出来るものを提供することを目的とする。【解決手段】インターネットサイトにアクセス可能な通信端末であって、通信部と、操作部と、アクセスしたインターネットサイトへ対する評価を前記操作部がアクセス者から受け付けた操作指示に基づいて行い、前記インターネットに対する評価を外部へ前記通信部に送信させる制御部とを、具備する。【選択図】図２
2010009356.tif 000002
【特許請求の範囲】
【請求項１】
インターネットサイトにアクセス可能な通信端末であって、
通信部と、
操作部と、
アクセスしたインターネットサイトへ対する評価を前記操作部がアクセス者から受け付けた操作指示に基づいて行い、前記インターネットに対する評価を外部へ前記通信部に送信させる制御部とを、
具備することを特徴とする通信端末。
【請求項２】
前記制御部は、インターネットサイトに対する前記操作部が受け付けたアクセス者の評価結果に基づいて、当該インターネットサイトに対する評価を行うことを特徴とする請求項１に記載の通信端末。
【請求項３】
前記制御部は、アクセスしたインターネットサイトへ前記操作部がアクセス者から受け付けた操作指示に基づき書き込まれた文字列に基づいて、当該インターネットサイトに対する評価を行うことを特徴とする請求項１または２に記載の通信端末。
【請求項４】
前記制御部は、アクセスしたインターネットサイトからダウンロードしたファイルに対する前記操作部が受け付けたアクセス者の評価結果に基づいて、当該ファイルのダウンロード元のインターネットサイトに対する評価を行うことを特徴とする請求項１〜３のいずれか一項に記載の通信端末。
【請求項５】
前記制御部は、前記ファイルに対するアクセス者の評価結果及び客観的評価結果に基づいて当該ファイルのダウンロード元のインターネットサイトに対する評価を行うことを特徴とする請求項４に記載の通信端末
【請求項６】
前記制御部は、前記客観的評価結果に前記ファイルのウィルスファイルチェック結果を含み、前記ファイルがウィルスファイルである場合には、当該ファイルのダウンロード元のインターネットサイトに対する評価を下げることを特徴とする請求項５に記載の通信端末。
【請求項７】
前記制御部は、前記客観的評価結果に前記ファイルの著作権情報の問題の有無の判定結果を含み、前記ファイルの著作権情報に問題がある場合に、当該ファイルのダウンロード元のインターネットサイトに対する評価を下げることを特徴とする請求項５または６に記載の通信端末。
【請求項８】
請求項１〜７のいずれかに記載の通信端末と、
前記通信端末がインターネットサイトにアクセスする通信経路の途中に位置し、インターネットサイトに対する評価を示す点数を記憶するインターネットサイト点数管理装置とを具備し、
前記インターネットサイト点数管理装置は、通信端末から受信したインターネットサイトに対する評価に基づいて前記点数を変化させ、前記点数に基づいて前記通信端末によるインターネットサイトに対するアクセスの許可及び禁止を判定し、アクセスを禁止した特定のインターネットサイトへ対して前記通信端末にアクセスさせないことを特徴とする通信システム。
【請求項９】
前記通信端末がインターネットサイトにアクセスする通信経路の途中に位置するインターネットサイト客観的評価装置を具備し、
前記インターネットサイト客観的評価装置は、当該通信端末がインターネットサイトからダウンロードしたファイルに対する客観的評価を行い、当該客観的評価の結果に基づいて当該ファイルのダウンロード元のインターネットサイトに対する評価を行い、
前記インターネットサイト点数管理装置は、前記インターネットサイト客観的評価装置によるインターネットサイトに対する評価に基づいて前記点数を変化させることを特徴とする通信システム。
【発明の詳細な説明】
【技術分野】
【０００１】
本発明は、携帯電話、ＰＨＳ（Personal Handy-phone System）端末並びにパーソナルコンピュータ等の通信端末及び当該通信端末を具備する通信システムに関する。
【背景技術】
【０００２】
近年、小・中・高校生の未成年者を犯罪にかかわるような有害サイトから保護することを目的として、各携帯電話キャリアは、インターネットにおける未成年者による有害サイトへのアクセスを禁止するフィルタリングサービスを提供している。このフィルタリングサービスとは、予め有害サイトを洗い出し、その洗い出した有害サイトに対する未成年者によるアクセスを禁止するものである。そして、有害サイトを洗い出す手法として、携帯電話キャリアにおけるサイト監視者が各インターネットサイトの内容の点検することによって有害サイトを洗い出す手法と、または各インターネットサイトを有害文字列のキャラクタコードによる検索を実施することで機械的に有害サイトの洗い出す手法が存在していう。このような、洗い出した有害サイトに対してユーザからのアクセスを禁止するフィルタリングサービスの方式は、ブラックリスト方式と呼ばれる。また、このブラックリスト方式とは逆に、サイト監視者が予め優良サイトを洗い出し、この優良サイトにのみアクセスを許可するフィルタリングの方式は、ホワイトリスト方式と呼ばれる。
【発明の開示】
【発明が解決しようとする課題】
【０００３】
ところで、上記従来技術は、有害サイトへのアクセスを禁止する為に予め有害サイトの洗い出しを行っているが、インターネットサイトは、世界中のあらゆる場所で容易に開設することが出来る為に、その数はすさまじい早さで増加している。その為、サイト監視者による各インターネットサイトの内容の点検によって有害サイトの洗い出しする手法では、すさまじい早さで増加するインターネットサイトに対応することが困難である。また、有害文字列のキャラクタコードによってインターネットサイトを検索することで有害サイトを洗い出す手法では、有害と見なされた単語や文字列（以下、有害文字列と称する）が含まれるサイトは機械的にアクセスが禁止になってしまう為、内容が有害ではないインターネットサイトであったとしても、有害文字列を使用している場合に、有害サイトとしてアクセスが禁止されてしまうという不都合が発生する。
【０００４】
そして、上記手法によって洗い出された有害サイトのアクセスを禁止するブラックリスト方式では、サイト監視者の意思または有害文字列の有無によって禁止されるインターネットサイトが決定される為、その決定に対して全くユーザの意思を反映させることが出来ないという問題がある。また、ホワイトリスト方式でも、ブラックリスト方式と同様に、許可されるインターネットサイトの決定に、ユーザの意思が反映されない。
さらに、上記従来技術では、インターネットサイトの内容を表現する文字列によってアクセスの許可／禁止が決定される為、著作権を無視した複製ファイルをダウンロードすることができるリンクが設定されたインターネットサイトが存在していた場合に、そのインターネットサイトへのアクセスを禁止して、著作権を保護することが困難である。
【０００５】
本発明は、上述した事情を鑑みたものであり、ユーザの意思を汲み取ってより多くのインターネットサイトのアクセスの許可／禁止をその内容に即して決定することが出来るものを提供することを目的とする。
【課題を解決するための手段】
【０００６】
上記目的を達成するために、本発明では、通信端末に係る第１の解決手段として、インターネットサイトにアクセス可能な通信端末であって、通信部と、操作部と、アクセスしたインターネットサイトへ対する評価を前記操作部がアクセス者から受け付けた操作指示に基づいて行い、前記インターネットに対する評価を外部へ前記通信部に送信させる制御部とを、具備するという手段を採用する。
【０００７】
本発明では、通信端末に係る第２の解決手段として、上記第１の解決手段において、前記制御部は、インターネットサイトに対する前記操作部が受け付けたアクセス者の評価結果に基づいて、当該インターネットサイトに対する評価を行うという手段を採用する。
【０００８】
本発明では、通信端末に係る第３の解決手段として、上記第１または第２の解決手段において、前記制御部は、アクセスしたインターネットサイトへ前記操作部がアクセス者から受け付けた操作指示に基づき書き込まれた文字列に基づいて、当該インターネットサイトに対する評価を行うという手段を採用する。
【０００９】
本発明では、通信端末に係る第４の解決手段として、前記制御部は、アクセスしたインターネットサイトからダウンロードしたファイルに対する前記操作部が受け付けたアクセス者の評価結果に基づいて、当該ファイルのダウンロード元のインターネットサイトに対する評価を行うという手段を採用する。
【００１０】
本発明では、通信端末に係る第５の解決手段として、上記第４の解決手段において、前記制御部は、前記ファイルに対するアクセス者の評価結果及び客観的評価結果に基づいて当該ファイルのダウンロード元のインターネットサイトに対する評価を行うという手段を採用する。
【００１１】
本発明では、通信端末に係る第６の解決手段として、上記第５の解決手段において、前記制御部は、前記客観的評価結果に前記ファイルのウィルスファイルチェック結果を含み、前記ファイルがウィルスファイルである場合には、当該ファイルのダウンロード元のインターネットサイトに対する評価を下げるという手段を採用する。
【００１２】
本発明では、通信端末に係る第７の解決手段として、上記第５または第６の解決手段において、前記制御部は、前記客観的評価結果に前記ファイルの著作権情報の問題の有無の判定結果を含み、前記ファイルの著作権情報に問題がある場合に、当該ファイルのダウンロード元のインターネットサイトに対する評価を下げるという手段を採用する。
【００１３】
また、本発明では、通信システムに係る第１の解決手段として、上記第１〜第７のいずれかの解決手段を採用する通信端末と、前記通信端末がインターネットサイトにアクセスする通信経路の途中に位置し、インターネットサイトに対する評価を示す点数を記憶するインターネットサイト点数管理装置とを具備し、前記インターネットサイト点数管理装置は、通信端末から受信したインターネットサイトに対する評価に基づいて前記点数を変化させ、前記点数に基づいて前記通信端末によるインターネットサイトに対するアクセスの許可及び禁止を判定し、アクセスを禁止した特定のインターネットサイトへ対して前記通信端末にアクセスさせないという手段を採用する。
【００１４】
本発明では、通信システムに係る第２の解決手段として、上記第１の解決手段において、前記通信端末がインターネットサイトにアクセスする通信経路の途中に位置するインターネットサイト客観的評価装置を具備し、前記インターネットサイト客観的評価装置は、当該通信端末がインターネットサイトからダウンロードしたファイルに対する客観的評価を行い、当該客観的評価の結果に基づいて当該ファイルのダウンロード元のインターネットサイトに対する評価を行い、前記インターネットサイト点数管理装置は、前記インターネットサイト客観的評価装置によるインターネットサイトに対する評価に基づいて前記点数を変化させる。
【発明の効果】
【００１５】
本発明によれば、通信端末が、インターネットサイトにアクセス可能な通信端末であって、通信部と、操作部と、アクセスしたインターネットサイトへ対する評価を前記操作部がアクセス者から受け付けた操作指示に基づいて行い、前記インターネットに対する評価を外部へ前記通信部に送信させる制御部とを、具備することによって、アクセス者によるインターネットサイトに対する評価を汲み取ってインターネットサイトに対するアクセスの禁止／許可を決定することが出来る。また、この通信端末を使用するアクセス者全てが、インターネットサイトの監視者になる為、従来よりも多くのインターネットサイトへ対するアクセスの許可／禁止を内容に即して決定することが可能になる。
【発明を実施するための最良の形態】
【００１６】
以下、図面を参照して、本発明の一実施形態について説明する。本実施形態は、通信端末の１つであるＰＨＳ（Personal Handyphone System）端末及び当該ＰＨＳ端末によって構成される無線通信システムに関する。
図１は、本実施形態に係る無線通信システムＡのシステム構成図である。  
この無線通信システムＡは、図１に示すようにＰＨＳ端末Ａ１、基地局Ａ２、インターネットサイト点数管理装置Ａ３、インターネット網Ａ４から構成される。
【００１７】
ＰＨＳ端末Ａ１は、基地局Ａ２と相互に信号を送受信することによって音声通信またはデータ通信を実行する。ＰＨＳ端末Ａ１の機能構成を、図２を参照して説明する。図２は、本実施形態に係るＰＨＳ端末Ａ１の機能構成を示す機能ブロック図である。ＰＨＳ端末Ａ１は、図２に示すように、通信部１、操作部２、表示部３、記憶部４及び制御部５から構成される。
【００１８】
通信部１は、制御部５による指示の下、基地局Ａ２と音声信号、データ信号及び制御信号等の各種信号を送受信する。
操作部２は、テンキー、方向キー、及び各種機能キー等の各種操作キーから構成されており、これらの操作キーに対するユーザの操作指示を受け付けて制御部５に出力する。
表示部３は、例えば液晶ディスプレイまたは有機ＥＬ（Electronic Luminescent）ディスプレイ等であり、制御部５から入力される画像信号に基づいて画像や文字からなる各種画面を表示する。
【００１９】
記憶部４は、不揮発性メモリであり、制御部５による制御の下、ファイル管理データベース等の各種情報を記憶する。図３は、ファイル管理データベースの構成を示す模式図である。図３に示すようにファイル管理データベースは、インターネットサイトからダウンロードしたファイルのファイル名毎に、そのダウンロード元のインターネットサイトのＵＲＬ（Uniform Resource Locator）、ユーザ判定結果、ウィルス判定結果及び著作権有無判定結果が登録されたデータベースである。
【００２０】
上記ユーザ判定結果には、対象のファイルを実行した際のユーザによる対象ファイルに対する優良／有害の判定結果に基づき、対象ファイルがユーザによって優良であると判定されると「ＯＫ」、また対象ファイルがユーザによって有害であると判定されると「ＮＧ」が登録される。また、上記ウィルス判定結果には、対象ファイルを実行した際に、対象ファイルがウィルスファイルでないと判定されると「ＯＫ」が登録され、またウィルスファイルであると判定されると「ＮＧ」が登録される。
【００２１】
さらに、著作権情報有無判定結果には、対象のファイルを実行した際の著作権情報有無の判定結果に基づいて、著作権保護が有効かつ正常な著作権情報が付加されていると判定されると「ＯＫ」が登録され、また著作権保護が有効かつ著作権情報が無いと判定されると「ＮＧ」が登録される。なお、対象ファイルを実行した際の対象ファイルのユーザ判定結果、ウィルス判定結果及び著作権情報有無判定結果の登録動作については、詳細を後術する。
【００２２】
制御部５は、ＣＰＵ（Central Processing Unit）、ＲＯＭ（Read Only Memory）及びＲＡＭ（Random Access Memory）から構成される内部メモリ並びに上記通信部１、操作部２、表示部３と信号の入出力をそれぞれ行うインタフェース回路等から構成されており、上記ＲＯＭに記憶された制御プログラム、通信部１が受信する各種信号及び操作部２が受け付ける操作指示に基づいてＰＨＳ端末Ａ１の全体動作を制御する。なお、制御部５が実行する位置登録処理については、詳細を後述する。
【００２３】
基地局Ａ２は、その他の基地局（図示略）と所定間隔をあけて配置されており、割り当てられたセルにおいてＰＨＳ端末Ａ１と通信を行う。そして、この基地局Ａ２は、インターネットサイト点数管理装置Ａ３に接続されており、インターネットサイト点数管理装置Ａ３の指示に基づいてＰＨＳ端末Ａ１とデータ通信を行う。
【００２４】
インターネットサイト点数管理装置Ａ３は、基地局Ａ２及びその他の基地局（図示略）と接続すると共にインターネット網Ａ４に接続する。インターネットサイト点数管理装置Ａ３は、ファイアウォール機能等を有するインターネットサーバとして稼働すると共にインターネット網Ａ４における各インターネットサイトの優良性の度合いを示す点数が登録されたインターネットサイト点数管理データベースを記憶している。
【００２５】
図４は、インターネットサイト点数管理データベースの構成を示す模式図である。このインターネットサイト点数管理データベースは、図４に示すように各インターネットサイトのＵＲＬ毎に、各インターネットサイトの最新の安全性の度合いを示す点数が登録されているデータベースである。なお、インターネットサイト点数管理データベースに登録される点数の満点は、「１００点」とする。
【００２６】
次に、上記構成の無線通信システムＡにおけるＰＨＳ端末Ａ１及びインターネットサイト点数管理装置Ａ３の動作について図５〜図１０を参照して説明する。
まず、ＰＨＳ端末Ａ１及びインターネットサイト点数管理装置Ａ３の初期動作ついて、図５を参照して説明する。図５は、本実施形態に係る無線通信システムＡのＰＨＳ端末Ａ１及びインターネットサイト点数管理装置Ａ３における初期動作を示すシーケンス図である。
【００２７】
インターネットサイトＷＳ１にアクセスしようとするユーザは、インターネットサイトＷＳ１にアクセスする為に、ＰＨＳ端末Ａ１の操作部２を操作することによってブラウザを起動させると共にインターネットサイトＷＳ１へのアクセスを指示する。
ＰＨＳ端末Ａ１の制御部５は、インターネットサイトＷＳ１のアクセス指示を操作部２が受け付けると、基地局Ａ２を介してインターネットサイト点数管理装置Ａ３へインターネットサイトＷＳ１のアクセス要求を通信部１に送信させる（ステップＳ１）。
【００２８】
インターネットサイト点数管理装置Ａ３は、基地局Ａ２を介してＰＨＳ端末Ａ１からインターネットサイトＷＳ１のアクセス要求を受信すると、インターネットサイト点数管理データベースのインターネットサイトＵＲＬにインターネットサイトＷＳ１のＵＲＬが登録されているか否か判定し（ステップＳ２）、ステップＳ２において『ＮＯ』と判定した場合には、すなわちインターネットサイト点数管理データベースのインターネットサイトＵＲＬへインターネットサイトＷＳ１のＵＲＬが登録されいない場合には、インターネットサイト点数管理データベースのインターネットサイトＵＲＬへインターネットサイトＷＳ１のＵＲＬを登録する（ステップＳ３）。
【００２９】
インターネットサイト点数管理装置Ａ３は、ステップＳ３の後に、インターネット網Ａ４から受信したインターネットサイトＷＳ１の内容が記述されたＨＴＭＬ（HyperText Markup Language）ファイルを有害文字列によって検索し、含まれている有害文字列の種類の数に応じた点数を満点「１００点」から減点し（ステップＳ４）、ステップＳ４において算出された点数をインターネットＢのＵＲＬの初期点数としてインターネットサイト点数管理データベースに登録する（ステップＳ５）。なお、有害文字列は、インターネットサイト点数管理装置Ａ３に予め複数のものが登録されている。
【００３０】
例えば、上記ステップＳ４において１種類の有害文字列が含まれる毎に「５点」を減点す条件であった場合に、予め登録されている複数の有害文字列の中の３種類の有害文字列がインターネットサイトＷＳ１に含まれているとすると、ステップＳ５において「１００点」から「１５点」を減算した「８５点」がインターネットサイトＷＳ１の初期点数としてインターネットサイト点数管理データベースに登録される。
【００３１】
インターネットサイト点数管理装置Ａ３は、ステップＳ５の後に、インターネットサイト点数管理データベースに基づいてインターネットサイトＷＳ１の点数がアクセスを禁止する所定のしきい値より大きいか否か判定し（ステップＳ６）、ステップＳ６において『ＮＯ』と判定した場合には、すなわちインターネットサイトＷＳ１の点数が所定のしきい値以下である場合には、ＰＨＳ端末Ａ１へインターネットサイトＷＳ１のアクセス拒否通知と共に点数を送信する（ステップＳ７）。
【００３２】
インターネットサイト点数管理装置Ａ３は、ステップＳ６において『ＹＥＳ』と判定した場合には、すなわちインターネットサイトＷＳ１の点数が所定のしきい値より大きい場合には、インターネット網Ａ４からインターネットサイトＷＳ１のＨＴＭＬファイルを受信し、このインターネットサイトＷＳ１のＨＴＭＬファイルを送信する（ステップＳ８）。
また、インターネットサイト点数管理装置Ａ３は、ステップＳ２において『ＹＥＳ』と判定した場合には、すなわちインターネットサイト点数管理データベースのインターネットサイトＵＲＬへインターネットサイトＷＳ１のＵＲＬが登録されている場合には、ステップＳ６へ移行する。
【００３３】
ＰＨＳ端末Ａ１の制御部５は、インターネットサイトＷＳ１のＨＴＭＬファイル及びアクセス拒否通知の内のいずれを通信部１が受信したか判定し（ステップＳ９）、ステップＳ９においてＨＴＭＬファイルを受信したと判定した場合には、受信したインターネットサイトＷＳ１のＨＴＭＬファイルに基づいてインターネットサイトＷＳ１を表示部３に表示させ（ステップＳ１０）、ステップＳ９においてアクセス拒否を受信したと判定した場合には、受信したインターネットサイトＷＳ１のアクセス拒否通知及び点数に基づいてインターネットサイトＷＳ１のアクセスを拒否する旨及びその点数を表示部３に表示させる（ステップＳ１１）。
【００３４】
次に、ＰＨＳ端末Ａ１及びインターネットサイト点数管理装置Ａ３のダウンロードしたファイルに基づく減点動作ついて、図６を参照して説明する。図６は、本実施形態に係る無線通信システムＡのＰＨＳ端末Ａ１及びインターネットサイト点数管理装置Ａ３のダウンロードしたファイルに基づく減点動作を示すシーケンス図である。
【００３５】
ＰＨＳ端末Ａ１の制御部５は、インターネットサイトＷＳ１に設定されている「sample.wmv」をダウンロードする為のリンクの選択指示を操作部２が受け付けると、基地局Ａ２を介してインターネットサイト点数管理装置Ａ３へ「sample.wmv」のダウンロード要求を通信部１に送信させる（ステップＳ２１）。
インターネットサイト点数管理装置Ａ３は、基地局Ａ２を介してＰＨＳ端末Ａ１から「sample.wmv」のダウンロード要求を受信すると、インターネット網Ａ４から「sample.wmv」を受信し、この「sample.wmv」を基地局Ａ２を介してＰＨＳ端末Ａ１へ送信する（ステップＳ２２）。
【００３６】
ＰＨＳ端末Ａ１の制御部５は、「sample.wmv」を通信部１が受信すると、「sample.wmv」を記憶部４に記憶させ、ファイル管理データベースのファイル名へ「sample.wmv」のファイル名を記憶部に追加させると共にこのファイル名「sample.wmv」に対応するダウンロード元ＵＲＬにインターネットサイトＷＳ１のＵＲＬを記憶部４に登録させ（ステップＳ２３）、「sample.wmv」の実行指示を操作部２が受けると、「sample.wmv」を実行し、「sample.wmv」の動画と共に有害ファイル判定キー２ａを表示部に表示させる（ステップＳ２４）。この有害ファイル判定キー２ａとは、ダウンロードしたファイルを実行して、そのファイルに有害な内容が含まれているとユーザが判断したことを通知する為のソフトキーである。操作部２は、有害ファイル判定キー２ａに対応するキーが押下されると、該当ファイルに対する有害ファイル判定指示を受け付ける。
【００３７】
ＰＨＳ端末Ａ１の制御部５は、「sample.wmv」に対する有害ファイル指定指示を操作部２が受けた、「sample.wmv」がウィルスファイルである、または「sample.wmv」に著作権情報が無い、すなわちユーザ判定結果、ウィルス判定結果及び著作権情報有無判定結果が「ＮＧ」の条件に該当するか否か判定し（ステップＳ２５）、ステップＳ２５において『ＹＥＳ』と判定した場合には、すなわち「sample.wmv」に対する有害ファイル指定指示を操作部２が受けた、「sample.wmv」がウィルスファイルである、または「sample.wmv」に著作権情報が無い場合には、有害ファイル指定指示を操作部２が受けると、ファイル管理データベースのファイル名「sample.wmv」に対応するユーザ判定結果へ「ＮＧ」を記憶部４に登録させ、「sample.wmv」がウィルスファイルであると判定すると、ウィルス判定結果に「ＮＧ」を記憶部４に登録させ、また「sample.wmv」に著作権情報が無いと判定すると、著作権情報有無判定結果に「ＮＧ」を記憶部４に登録させる（ステップＳ２６）。
【００３８】
制御部５は、ステップＳ２６の後に、「sample.wmv」に対する有害ファイル指定指示を操作部２が受けた、「sample.wmv」がウィルスファイルである、または「sample.wmv」に著作権情報が無い、すなわちこれらユーザ判定結果、ウィルス判定結果及び著作権情報有無判定結果のＮＧの条件に応じて減点数を算出し（ステップＳ２７）、この減点数を「sample.wmv」のダウンロード元であるインターネットＳ１の点数から減点するように減点要求を通信部１に送信させる（ステップＳ２８）。
【００３９】
例えば、「sample.wmv」に対する有害ファイル指定指示を操作部２が受けた、「sample.wmv」がウィルスファイルである、または「sample.wmv」に著作権情報が無いという条件の全てに該当する場合に、それぞれの条件の減点数を「５点」とすると、制御部５は、ステップＳ２７において最終的な減点数として「１５点」を算出する。
また、制御部５は、ステップＳ２５において『ＮＯ』と判定した場合には、すなわち「sample.wmv」に対する有害ファイル指定指示を操作部２が受けた、「sample.wmv」がウィルスファイルである、および「sample.wmv」に著作権情報が無いというＮＧの条件に該当しない場合には、上記ステップＳ２６〜２８を実行しない。
【００４０】
インターネットサイト点数管理装置Ａ３は、ＰＨＳ端末Ａ１からインターネットサイトＷＳ１に対する減点要求を受信すると、インターネットサイト点数管理データベースのインターネットサイトＷＳ１のＵＲＬに対応した点数から減点数分を減点する（ステップＳ２９）。
【００４１】
次に、ＰＨＳ端末Ａ１からインターネットサイト点数管理装置Ａ３へのアップロードにおける減点動作について、図７を参照して、説明する。図７は、本実施形態に係る無線通信システムＡのＰＨＳ端末Ａ１からインターネットサイト点数管理装置Ａ３へのアップロードにおける減点動作を示すシーケンス図である。
【００４２】
ＰＨＳ端末Ａ１の制御部５は、インターネットサイトＷＳ１における電子掲示板への書き込みによるアップロード指示を操作部２が受け付けると、書き込まれた文字列に有害文字列が含まれているか否か判定し（ステップＳ３１）、ステップＳ３１において『ＹＥＳ』と判定した場合には、すなわち電子掲示板に書き込まれた文字列に有害文字列が含まれている場合に、書き込まれた文字列に含まれる有害文字列の種類の数に応じて減点数を算出し（ステップＳ３２）、ステップＳ３２において算出した減点数をインターネットＳ１の点数から減点するように減点要求を通信部１に送信させる（ステップＳ３３）。
【００４３】
また、制御部５は、ステップＳ３１において『ＮＯ』と判定した場合には、すなわち電子掲示板に書き込まれた文字列に有害文字列が含まれている場合に、上記ステップＳ３２及びステップＳ３３を実行しない。
インターネットサイト点数管理装置Ａ３は、ＰＨＳ端末Ａ１からインターネットサイトＷＳ１に対する減点要求を受信すると、インターネットサイト点数管理データベースのインターネットサイトＷＳ１のＵＲＬに対応した点数から減点数分を減点する（ステップＳ３４）。
【００４４】
次に、ＰＨＳ端末Ａ１及びインターネットサイト点数管理装置Ａ３による点数表示動作について、図８を参照して、説明する。図８は、本実施形態に係る無線通信システムＡのＰＨＳ端末Ａ１及びインターネットサイト点数管理装置Ａ３による点数表示動作を示すシーケンス図である。
【００４５】
ＰＨＳ端末Ａ１の制御部５は、インターネットサイトＷＳ１のアクセス指示を操作部２が受け付けると、基地局Ａ２を介してインターネットサイト点数管理装置Ａ３へインターネットサイトＷＳ１のアクセス要求を通信部１に送信させる（ステップＳ４１）。
【００４６】
インターネットサイト点数管理装置Ａ３は、基地局Ａ２を介してＰＨＳ端末Ａ１からインターネットサイトＷＳ１のアクセス要求を受信すると、インターネット網Ａ４からインターネットサイトＷＳ１のＨＴＭＬファイルを受信し、このインターネットサイトＷＳ１のＨＴＭＬファイルと共にインターネットサイトＷＳ１にリンクが設定されているインターネットサイトＷＳ２及びインターネットサイトＷＳ３の点数を基地局Ａ２を介してＰＨＳ端末Ａ１へ送信する（ステップＳ４２）。
【００４７】
ＰＨＳ端末Ａ１の制御部５は、このインターネットサイトＷＳ１のＨＴＭＬファイルと共にインターネットサイトＷＳ１にリンクが設定されているインターネットサイトＷＳ２及びインターネットサイトＷＳ３の点数を受信すると、インターネットサイトＷＳ１にリンクが設定されているインターネットサイトＷＳ２及びインターネットサイトＷＳ３のＵＲＬ毎にその点数を登録したリンク点数管理データベースを記憶部４に作成させ（ステップＳ４３）、インターネットサイトＷＳ１のＨＴＭＬファイルに基づいてインターネットサイトＷＳ１を表示部３に表示させる（ステップＳ４４）。
【００４８】
そして、制御部５は、操作部２が受け付けた操作指示に基づいてインターネットサイトＷＳ１に設定されたリンクに上にポインタが移動されたか否か判定し（ステップＳ４５）、ステップＳ４５において『ＹＥＳ』と判定した場合には、すなわちインターネットサイトＷＳ１に設定されたリンク上にポインタが移動された場合には、リンク点数管理データベースに基づいてポインタが移動したリンクの点数を表示部３に表示させる（ステップＳ４６）。また、制御部５は、ステップＳ４５において『ＮＯ』と判定した場合には、すなわちインターネットサイトＷＳ１に設定されたリンク上にポインタが移動されていない場合には、ステップＳ４５に移行する。
【００４９】
上記ステップＳ４６において表示される画面の詳細について、図９を参照して、説明する。図９は、本実施形態に係るＰＨＳ端末Ａ１が点数を表示するインターネットサイトＷＳ１の一例を示す図である。図９の（ａ）は、リンク上にポインタが移動している場合のインターネットサイトＷＳ１を示し、図９の（ｂ）は、リンク上にポインタが移動していない場合のインターネットサイトＷＳ１を示す。インターネットサイトＷＳ１には、図９の（ａ）及び（ｂ）に示すように、インターネットサイトＷＳ２及びインターネットサイトＷＳ３のリンクが設定されている。図９の（ａ）に示すように、インターネットサイトＷＳ１におけるインターネットサイトＷＳ２及びインターネットサイトＷＳ３のリンク上にポインタが移動していない場合には、その点数を表示しない。そして、例えば、インターネットサイトＷＳ１におけるインターネットサイトＷＳ２のリンク上にポインタが移動されると、図９の（ｂ）に示すように、そのインターネットサイトＷＳ１の点数を吹き出しによって表示する。
【００５０】
次に、インターネットサイト点数管理装置Ａ３の点数加点動作について、図１０を参照して、説明する。図１０は、本実施形態に係る無線通信システムＡのインターネットサイト点数管理装置Ａ３の点数加点動作を示すフローチャートである。
インターネットサイト点数管理装置Ａ３は、ＰＨＳ端末Ａ１からインターネットサイトＷＳ１に対する減点要求を受信すると、インターネットサイト点数管理データベースのインターネットサイトＷＳ１のＵＲＬに対応した点数から減点数分を減点する（ステップＳ５１）。
【００５１】
そして、インターネットサイト点数管理装置Ａ３は、ステップＳ５１の後に所定の時間が経過するとインターネットサイト点数管理データベースのインターネットサイトＷＳ１のＵＲＬに対応した点数に所定の点数を加点する（ステップＳ５２）。例えば、減点から一週間が経過する毎にインターネットサイト点数管理データベースに登録されたインターネットサイトに対して「１０点」を加点するとした場合に、インターネットサイト点数管理装置Ａ３は、上記ステップＳ５１においてインターネットサイトＷＳ１の減点から一週間が経過すると、上記ステップＳ５２においてインターネットサイトＷＳ１の点数に「１０点」を加点する。
【００５２】
以上説明したように、無線通信システムＡにおいて、インターネットサイト点数管理装置Ａ３がインターネットサイト点数管理データベースを有し、有害ファイル判定指示等に基づいてＰＨＳ端末Ａ１がインターネットサイトに対する減点要求を送信すると、インターネットサイト点数管理装置Ａ３がそのインターネットサイトに対する減点を実施し、インターネットサイトの点数が所定のしきい値より小さい場合に、ＰＨＳ端末Ａ１による当該インターネットサイトに対するアクセスを禁止するようにしていることによって、インターネットサイトに対するアクセスの許可／禁止をＰＨＳ端末Ａ１を使用するユーザの意思を汲み取って決定することが出来る。また、ＰＨＳ端末Ａ１を使用するユーザ全てが、インターネットサイトの監視者になる為、従来よりも多くのインターネットサイトへ対すアクセスの許可／禁止をその内容に即して決定することが可能になる。
【００５３】
以上、本発明の一実施形態について説明したが、本発明は上記実施形態に限定されることなく、例えば以下のような変形が考えられる。
【００５４】
（１）上記実施形態のＰＨＳ端末Ａ１では、インターネットサイトＷＳ１からダウンロードした「sample.wmv」を実行した際に、有害ファイル判定キー２ａを表示させ、この有害ファイル判定キー２ａに対応する操作部２のキーが押下されると、実行しているファイルが有害ファイルであると判定しているが、本発明はこれに現地されない。
例えば、制御部５が、インターネットサイトＷＳ１を表示部３に表示した際に、有害サイト判定キーが押下されるとインターネットサイトＷＳ１が有害サイトであると判定して、インターネットサイトＷＳ１に対する減点要求を通信部１に送信させるようにしてもよい。
【００５５】
（２）上記実施形態のＰＨＳ端末Ａ１では、実行した「sample.wmv」がウィルスファイルであるか否か、及び著作権情報の有無によって「sample.wmv」の評価を行ったが、本発明はこれに限定されない。
例えば、ＰＨＳ端末Ａ１ではなくインターネットサイト点数管理装置Ａ３が、実行した「sample.wmv」がウィルスファイルであるか否か、及び著作権情報の有無の判定し、この判定結果に基づいてインターネットサイトＷＳ１に対する減点を実行するようにしてもよい。
【００５６】
（３）上記実施形態の無線通信システムＡにおいて、インターネットサイト点数管理装置Ａ３のインターネットサイト点数管理データベースに登録される点数は、インターネットサイトの優良性を示すものであるが、本発明はこれに限定されない。
インターネットサイト点数管理装置Ａ３のインターネットサイト点数管理データベースに登録される点数は、有害性を示すものであってもよい。
【図面の簡単な説明】
【００５７】
【図１】本発明の一実施形態に係る無線通信システムＡのシステム構成図である。
【図２】本発明の一実施形態に係るＰＨＳ端末Ａ１の機能構成を示す機能ブロック図である。
【図３】本発明の一実施形態に係るＰＨＳ端末Ａ１のファイル管理データベースの構成を示す模式図である。
【図４】本発明の一実施形態に係るＰＨＳ端末Ａ１のインターネットサイト点数管理データベースの構成を示す模式図である。
【図５】本発明の一実施形態に係る無線通信システムＡのＰＨＳ端末Ａ１及びインターネットサイト点数管理装置Ａ３における初期動作を示すシーケンス図である。
【図６】本発明の一実施形態に係る無線通信システムＡのＰＨＳ端末Ａ１及びインターネットサイト点数管理装置Ａ３のダウンロードしたファイルに基づく減点動作を示すシーケンス図である。
【図７】本発明の一実施形態に係る無線通信システムＡのＰＨＳ端末Ａ１からインターネットサイト点数管理装置Ａ３へのアップロードにおける減点動作を示すシーケンス図である。
【図８】本発明の一実施形態に係る無線通信システムＡの無線通信システムＡのＰＨＳ端末Ａ１及びインターネットサイト点数管理装置Ａ３による点数表示動作を示すシーケンス図である。
【図９】本発明の一実施形態に係るＰＨＳ端末Ａ１が点数を表示するインターネットサイトＷＳ１の一例を示す図である。
【図１０】本発明の一実施形態に係る無線通信システムＡのインターネットサイト点数管理装置Ａ３の点数加点動作を示すフローチャートである。
【符号の説明】
【００５８】
Ａ…無線通信システム、Ａ１…ＰＨＳ端末、Ａ２…基地局、Ａ３…インターネットサイト点数管理装置、Ａ４…インターネット網、１…通信部、２…操作部、２ａ…有害ファイル判定キー、３…表示部、４…記憶部、５…制御部
【図１】
2010009356.tif 000003
【図２】
2010009356.tif 000004
【図３】
2010009356.tif 000005
【図４】
2010009356.tif 000006
【図５】
2010009356.tif 000007
【図６】
2010009356.tif 000008
【図７】
2010009356.tif 000009
【図８】
2010009356.tif 000010
【図９】
2010009356.tif 000011
【図１０】
2010009356.tif 000012